(57)【要約】【課題】  ラチエット機構を用いることなく活字輪の文字送りを行う印刷用番号器の文字変更時の衝撃を皆無とし、安定した文字送りを可能とする。【解決手段】  番号器胴軸４と同心的にリング状の固定歯車７を設け、この固定歯車に前記番号器胴軸４と一体回転するよう取り付けられた番号器６の活字輪軸２０の軸端の番号器駆動歯車２８を直接または間接に噛合させて番号器胴軸４の回転により活字輪軸２０が常時回転するよう構成し、活字輪１４の活字面変更により印刷に供される活字面が選択されたときロックポール３４で活字輪１４を拘束して印刷するようにしたものである。【選択図】  図２
2006224519.tif 000002
【特許請求の範囲】
【請求項１】
番号器胴軸に所要数の番号器が放射方向に取り付けられ、この番号器の活字輪軸に複数の活字輪が回転自由に嵌装されるとともに各活字輪間に介在する摩擦リングが活字輪軸に一体回転するよう嵌挿され、活字輪に設けられた被検出部と活字輪の周面に対向配置される検出センサとで活字輪の識別および活字面の識別を行い、識別後ロックポールで活字輪を拘束し、活字面の選択時にはロックポールによる拘束を解いて前記摩擦リングによる摩擦により活字輪を共回りさせて文字送りするようになされている番号印刷において、
前記番号器胴軸と同心的にリング状の固定歯車を設け、この固定歯車に前記活字輪軸の軸端の番号器駆動歯車を直接または間接に噛合させて番号器胴軸の回転により活字輪軸が常時回転するよう構成し、活字輪の活字面変更により印刷に供される活字面が選択されたとき前記ロックポールで活字輪を拘束して印刷するようにしたことを特徴とする印刷機の番号印刷装置。
【請求項２】
活字輪を拘束するためのロックポールの作動用ソレノイドは、該ポールに連結されるプランジャを作動させるコイル内に永久磁石を内挿し、活字輪拘束時にコイルを励磁してプランジャを突出させて活字輪を拘束するとき前記永久磁石により励磁に対する反作用を生じる磁界を発生させてロックポールを活字輪の爪歯車にバネ付勢力で係合させ、コイルを解磁させたとき永久磁石の吸着力により拘束解除状態を維持するようになされている請求項１記載の印刷機の番号印刷装置。
【請求項３】
活字輪に設けられる被検出部は、各活字面間に予め穿設されたマグネット装着穴と、検出パターンに従って選定されたマグネット挿着穴に埋設されるマグネットとで構成され、活字輪の活字面と対応する検出パターンを構成するようになされている請求項１または２記載の印刷機の番号印刷装置。
【請求項４】
番号器胴軸に取り付けられる番号器のフレームが該番号器胴軸に固定される下フレームとこの下フレームの上部に接合される上フレームとで構成され、この上フレームの側枠間に番号器の活字輪軸が軸承されており、この上フレームを下フレームから離脱することにより番号器のみを取り外し自在とされている請求項１〜３のいずれか１項記載の印刷機の番号印刷装置。
【請求項５】
活字輪間に介装される摩擦リングがステンレス鋼に窒化チタンをコーティングされた材料で構成されている請求項１〜４のいずれか１項記載の印刷機の番号印刷装置。
【発明の詳細な説明】
【技術分野】
【０００１】
本発明は番号印刷装置に関する。
【背景技術】
【０００２】
銀行券（紙幣）をはじめ宝くじなどにおいては、紙面の所定位置に個有の番号が印刷される。この番号は所定の桁数の数列、またはこの数列とアルファベット等の記号を組み合わせて印刷される。
【０００３】
上記番号印刷には、印刷機に組み込まれる番号器によって行われるが、従来の番号器はラチェットによる文字送りする方式であったため、一定のシーケンス以外に番号の変換ができなかった。
【０００４】
一方、活字輪の送りをパルスモータにより行うようにし、このモータを制御することにより文字送りを制御するようにしたもの（特許文献１）が開発されているが、これによるとラチェット機構を不要にすることはできても、一台の番号器に複数のモータを装備する必要があるため番号器が大型化し、印刷物に対する番号器の大きさに制限を受けるため印刷桁数も６桁程度に制約されるとともに、番号器が大きくなるため印刷間隔が狭い宝くじや銀行券などの場合、印刷機の版胴を増さなければならず、その結果印刷機が大型にならざるを得なくなり、勢い高価になるという問題がある。
【０００５】
また数字以外の記号を組み合わせて印刷する場合は、手返しによる設定や、記号によっては活字輪を入れ替える作業を要するが、その際に設定ミスを起こすなどの問題があるうえ、インク洗浄等のメンテナンス時に印刷機から番号器を取り外したとき再度組み込む際の印刷位置の再現に多くの時間を要するなどの問題がある。
【０００６】
そこで、番号器の活字面の設定、文字送りを印刷機の駆動系の回転を利用して行うようにし、活字輪周辺の構成をコンパクトにして印刷機への番号器の組み込みを容易とする印刷用番号器ユニット（特許文献２）が提案されている。
【０００７】
しかして上記文献２に記載の印刷用番号器ユニットは、番号器を同心的に配設して支持する番号器軸に、同じく同心的に所定角度（８０°〜１１０°）のセクタギヤが設けられ、このセクタギヤに活字輪回動用ギヤが噛合したとき活字輪に文字送り力が作用するようになされた間欠動作構造とされている。
【０００８】
そのため活字輪回動用ギヤがセクタギヤに噛合する都度衝撃が生じ、他の機器部分に悪影響を及ぼすことをはじめ、衝撃緩和手段を特設しなければならないため構造的に複雑化することは避けられない。
【０００９】
また活字輪のロックおよび活字面設定時におけるロック解除時にロックレバーの拘束および拘束解除には電磁石が用いられており、ロックレバーを静止状態におく間通電されるので、各活字輪ごとに設けられる多数のロックレバーの総合的な消費電力が嵩むことになる。
【００１０】
さらに活字輪の摩耗等により活字輪を交換する必要があるとき、活字輪のロック機構を含む番号器ユニット全体を取り外す必要があり、その結果印字位置の再調整に時間がかかる等の大きな不利益を被ることになるなど、幾多の問題点がある。
【特許文献１】実用新案登録第２５５１７９９号公報
【特許文献２】特開平８−３３２７１９号公報
【発明の開示】
【発明が解決しようとする課題】
【００１１】
本発明は、活字輪の字輪軸を常時回転する構成として文字変更時の衝撃をなくし、これに伴い構成の簡素化を図ること、活字輪のロックレバーの拘束および拘束解除のための電力を不要として省エネを図ること、活字輪の交換を要するとき活字輪の部分のみの取り替えを可能としてコストダウンを図ること、さらに活字輪の識別および活字面の識別を容易とすることを課題とするものである。
【課題を解決するための手段】
【００１２】
上記課題を解決する手段として本発明は、番号器胴軸に所要数の番号器が放射方向に取り付けられ、この番号器の活字輪軸に複数の活字輪が回転自由に嵌装されるとともに各活字輪間に介在する摩擦リングが活字輪軸に一体回転するよう嵌挿され、活字輪に設けられた被検出部と活字輪の周面に対向配置された検出センサとで活字輪の識別および活字面の識別を行い、識別後ロックポールで活字輪を拘束し、活字面の選択時にはロックポールによる拘束を解いて前記摩擦リングによる摩擦により活字輪を共回りさせて文字送りするようになされている番号印刷において、前記番号器胴軸と同心的にリング状の固定歯車を設け、この固定歯車に前記活字輪軸の軸端の番号器駆動歯車を直接または間接に噛合させて番号器胴軸の回転により活字輪軸が常時回転するよう構成し、活字輪の活字面変更により印刷に供される活字面が選択されたとき前記ロックポールで活字輪を拘束して印刷するようにしたことにある。
【００１３】
請求項２は、活字輪を拘束するためのロックポールの作動用ソレノイドを該ポールに連結されるプランジャを作動させるコイル内に永久磁石を内挿した構成とし、活字輪拘束時にコイルを励磁してプランジャを突出させて活字輪を拘束するとき前記永久磁石により励磁に対する反作用を生じさせる磁界を発生させてロックポールを活字輪の爪歯車にバネ付勢力で係合させ、コイルを解磁させたとき永久磁石の吸着力により拘束解除状態を維持するようにしたことにある。
【００１４】
請求項３は、活字輪に設けられる被検出部を、各活字面間に予め穿設されたマグネット挿着穴と、検出パターンに従って選定されたマグネット挿着穴に埋設されるマグネットとで構成し、活字輪の活字面と対応する検出パターンを構成するようにしたことにある。
【００１５】
請求項４は、番号器胴軸に取り付けられる番号器のフレームを、該胴軸に固定される下フレームとこの下フレームの上部に接合される上フレームとで構成し、この上フレームの側枠間に番号器の活字輪軸を軸承し、この上フレームを下フレームから離脱することにより番号器のみを取り外し自在としたことにある。
【００１６】
請求項５は、活字輪間に介装される摩擦リングをステンレス鋼に窒化チタンをコーティングした材料で構成したものである。
【発明の効果】
【００１７】
本発明によれば、活字輪軸が番号器胴軸と同心に固設された太陽歯車としての固定歯車の周りを周回することにより常時回転が与えられているので、活字面選択時においても何ら機械的な衝撃を受けることがなく、そのため衝撃緩和のための特別な手段を付加する必要がないので構成を頗る簡素にできるとともに騒音の発生もなく、作動を安定なものとすることができる。
【００１８】
また固定歯車に常に噛合した状態で摩擦リングを介して番号器の活字輪軸に回転が与えられるので、活字輪軸回転用のモータを別に設ける必要もなく、周辺構造をコンパクトにかつ安価に得ることができる。
【００１９】
請求項２によれば、活字輪を拘束するロックポールの作動用ソレノイドに永久磁石を組み込んだ構成としたことにより、活字輪の回転時には電力を全く必要とせず、作動時にパルス信号を入力するのみでよく、その結果省電力化に大きく寄与することができる。
【００２０】
請求項３によれば、活字輪に設ける被検出部を構成するマグネットの配列と３個の磁気センサとで活字輪の種別および活字面の識別を行うようにしたので、簡単な構成によって多種の選択作用を行わせることができ、またマグネットは検出パターンに応じて活字輪への埋め込み箇所を選択することによりパターン構成を得ることができるので、活字輪自体の構造を画一的にでき、コスト的に有益とすることができる。
【００２１】
請求項４によれば、番号器の活字輪の洗浄や活字輪の摩耗による交換時に番号器ユニット全体を交換せずとも下フレームから上フレームを取り外すだけで行うことができ、これにより再取り付け時に印刷位置の再現をきわめて容易かつ正確に行うことができ、上記作業の作業時間を大幅に短縮することができる。
【００２２】
請求項５によれば、所定の摩擦力を発現しながら対摩耗性の高い摩擦リングとすることができる。
【発明を実施するための最良の形態】
【００２３】
図に示す実施形態においては、図１６に例示するように１枚の用紙１に４列５行計２０枚の宝くじ券、銀行券等の印刷物２，２…に通し番号を同時印刷する場合の番号印刷装置を示している。
【００２４】
図１は１列分の印刷物２１〜２５に番号を印刷するための番号器ユニット３を軸線方向から見た側面図として示し、図２にその断面図を示している。
【００２５】
上記番号器ユニット３は、印刷機の印刷用駆動源により回動する番号器胴軸４に取り付けリング５が固着され、この取り付けリング５の外周面に５行分の印刷物２１〜２５と対応する５個の番号器６１〜６５が取り付けられている。なお、以下の説明においては、一つの番号器（６で総称する）およびその付帯機構を代表例として説明する。
【００２６】
前記番号器６および取り付けリング５の一側に面して、本発明の特徴的構成の一つである太陽歯車としての機能を持つリング状の固定歯車７が前記番号器胴軸４と同心として印刷機側に固定して設けられている。
【００２７】
前記番号器胴軸４に固着される取り付けリング５は、図２に見られるようにその外周面の前記固定歯車７側の端部に蟻溝８を形成する突出部９が周設され、反対端には前記蟻溝８と対向して蟻溝を作るための締着板１０が取り付けリング５の側面にボルト１１で取り付けられるようになっており、この突出部９と締着板１０とで番号器６のフレームを挟持するように構成されている。
【００２８】
前記番号器６のフレームは本発明の特徴的構成を有するもので、図３、図７に詳細を示すように前記取り付けリング５に固定される下フレーム１２と、この下フレーム１２の上端に脱着可能に取り付けられる上フレーム１３とで構成され、この上フレーム１３に所要数（図示の例では１２枚）の活字輪１４，１４…が、下フレーム１２にその作動制御部１５がそれぞれ分担して組み付けられている。
【００２９】
前記下フレーム１２の詳細は、正面視において上向きコ字形を有し、その下底部１２ａが図７（Ｂ）に示すように前記取り付けリング５の外周面の円弧面に密接し得る凹曲面とされているとともに、両側端部に取り付けリング５の前記蟻溝８と締着板１０による蟻溝とに係合して脱落不能に取り付けるための蟻１６，１６が形成されている。
【００３０】
したがってこの下フレーム１２を取り付けリング５の外周面にそわせて一側の蟻１６を突出部９の蟻溝８に嵌め、他側の蟻１６に締着板１０を係合してこの締着板１０を取り付けリング５にボルト１１で締着させることにより下フレーム１２が取り付けリング５に強固に固定される。
【００３１】
前記上フレーム１３は、平面視において角枠状を有し、その左右の取り付け座１７，１７と下フレーム１２の両側枠１２ｂ，１２ｂの上端とをネジ１８，１８により脱着可能に取り付けられるようになっている。
【００３２】
前記上フレーム１３の側枠１３ａ，１３ａ間に軸装される活字輪１４群は、図４に説明の便宜上一部省略した断面図を示すように、上フレーム１３の側枠１３ａ，１３ａ間に活字輪軸２０が回転自在に軸承され、この活字輪軸２０に活字輪１４，１４…が回動可能に嵌挿されている。
【００３３】
上記活字輪１４，１４…の一側面に図６に見られるように活字輪１４の周面の活字面１４ａ，１４ａ…と対応する爪歯１９ａ，１９ａ…を有する爪歯車１９が一体的に設けられている。また活字輪１４の他側面と隣在する活字輪１４との間には摩擦リング２１が同心的に介装され、この摩擦リング２１はキー２２により活字輪軸２０と一体回転かつ軸方向へは摺動可能とされている。
【００３４】
前記活字輪１４群の一端位置の活字輪軸２０には前記活字輪１４群を活字輪軸２０に固定リング２３に所定の押圧力で押しつけ、前記摩擦リング２１と活字輪１４との間に所要の摩擦力を発生させるための予圧スプリング２４が設けられている。
【００３５】
この予圧スプリング２４は、活字輪軸２０に位置調整用止ネジ２５により固定位置可変に嵌挿された予圧調整リング２６と、活字輪軸２０に軸線方向に移動可能に嵌挿された予圧リング２７との間に介装され、この予圧リング２７を介して活字輪１４群を前記固定リング２３に押し付けるように構成されている。
【００３６】
前記活字輪軸２０の前記固定歯車７側の端部には図２、図３（Ｂ）に示すように番号器駆動歯車２８が固着され、この歯車２８に前記番号器６のフレームに軸支された中間歯車２９に噛合されており、この中間歯車２９と同軸上の駆動歯車３０が前記固定歯車７に噛合されて遊星歯車として固定歯車７の周囲を周回するようになっている。
【００３７】
前記摩擦リング２１は、対摩耗性を高めるため、窒化チタンをコーティングしたステンレス鋼で構成されている。
【００３８】
図１において符号３１は印刷用紙１を送る圧胴、３２は活字輪１４の印刷に供せられる活字面１４ａにインクを供給する着肉ローラを示す。
【００３９】
次に番号器６の活字輪１４，１４…の回転量を制御して、印刷すべき文字の活字面１４ａを印刷位置に位置付けるとともにその位置に拘束するための前記の作動制御部１５およびその関連構成部分について説明する。
【００４０】
上記作動制御部１５は、前記番号器６の下フレーム１２内に組み込まれているもので、図３、図８、図９に示すように下フレーム１２の側枠１２ｂ，１２ｂ間に軸承された軸３３にロックポール３４が各活字輪１４，１４…と対応して回動可能に支持されている。
【００４１】
このロックポール３４は、前記軸３３を中心に正面視略Ｙ字状をなすように第１、第２、第３の３本のアーム３４１，３４２，３４３を有し、第１アーム３４１の先端には前記活字輪１４の側面の爪歯車１９の爪歯１９ａの一つに係合して活字輪１４の回転を拘束するための係止爪３５が設けられている。
【００４２】
前記ロックポール３４の各アーム３４１，３４２，３４３にはそれぞれソレノイドＳＤ１，ＳＤ２，ＳＤ３のプランジャ３６，３６，３６が連結されているとともに、前記第１アーム３４１にはバネ３７が作用されていてロックポール３４に図８、図９において反時計方向（前記係止爪３５が爪歯車１９に係合する方向）への回動習性が与えられている。
【００４３】
図示の例では、バネブラケット３８内にコイル状のバネ３７が内装され、このバネブラケット３８の後部に螺合された調整用ネジ３９によりバネ３７の弾発力を調整可能とされている。
【００４４】
前記ソレノイドＳＤ１〜ＳＤ３は、図８に示すように「Ａ位置」、「Ｂ位置」、「Ｃ位置」におかれている。これはロックポール３４，３４…の設置間隔が狭い場合であっても隣位の活字輪用のソレノイドと相互干渉を生じないよう、互に位置を異らせている。
【００４５】
上記ソレノイドＳＤ１〜ＳＤ３は本発明の特徴的構成を有するもので、コイル４０の中に永久磁石４１が配置され、プランジャ３６の吸引保持時に電力を要しない構造とされており、プランジャ３６の解放時にのみパルス状に信号を送るだけでよい構成とされていて、ロックポール３４を拘束している間電力を必要とせず、省電力化を図っている。
【００４６】
上記ロックポール３４による活字輪１４の拘束解除は機械的手段により行われるようになっている。
【００４７】
すなわち、番号器６の前記下フレーム１２の側枠１２ｂ，１２ｂ間に軸承されたリリース軸４２の端部にリリースレバー４３の一端が固着され、前記リリース軸４２にはバネホルダ４４が固着されていて、このバネホルダ４４に前記各ロックポール３４，３４…に対応して板バネ４５，４５…が設けられている。そしてこの板バネ４５は、リリースレバー４３が図８において反時計方向に回動したときロックポール３４の第２アーム３４２の先端を左方へ押し、これにより第１アーム３４１の係止爪３５が活字輪１４の爪歯車１９の爪歯から外されるようになっている（図９参照）。
【００４８】
上記リリースレバー４３の回動手段は、リリースレバー４３の他端に軸着されたローラ４６が前記固定歯車７の側面に該歯車と同心として円形状に形成されたカム溝４７に嵌合され、このカム溝４７の一部が拡径方向に凹陥状に変形した変形部４７ａにローラ４６が入ったときリリースレバー４３が軸４２と共に図８において反時計方向に回動し、図９のようにロックポール３４の係止爪３５が爪歯車１９から脱出して活字輪１４のロックが解かれるようになっている。
【００４９】
前記リリース軸４２の反対端には、図３（Ｂ）に示すようにスリット板４８が固着され、このスリット板４８は下フレーム１２に固定されたリリース検出センサ４９に関連され、前記リリースレバー４３が回転したことを検出して活字輪１４の拘束が解かれて活字輪１４，１４…が回転し始めたことを検出するようになっている。
【００５０】
次に活字輪１４の活字面１４ａの設定手段について説明する。
【００５１】
活字輪１４のすべての活字面１４ａ，１４ａ…の間の凹所部位にマグネット挿着穴５０，５０…が穿設され（図６示）、後述する磁気センサとの組み合わせに基づいていずれかのマグネット挿着穴５０，５０…に棒状のマグネット５１，５１…を挿着できるようになっている。
【００５２】
前記活字輪１４の外周にそって図８、図９に示すようにセンサ基板５２が配置され、このセンサ基板５２の活字輪１４の活字面１４ａ，１４ａ…に対向する面に３個の磁気センサＳ，Ｓ，Ｓが設けられている。この磁気センサＳ，Ｓ，Ｓは活字輪１４の隣在する３個のマグネット５１，５１，５１に正対し得る間隔として配置されている。
【００５３】
前記マグネット５１の配置は、磁気センサＳ，Ｓ，Ｓによる磁気検出パターンに合わせて所定の組み合わせを選択して設けることができ、そのパターンの選択に応じマグネット５１，５１…を活字輪１４のマグネット挿着穴５０，５０…に挿着することで直ちにそのパターンに適合させることができ、これにより被検出部が構成される。
【００５４】
図１０はその検出パターンを例示するもので、活字輪１４の活字面１４ａの文字との関係を示し、そのパターンに基づく活字輪１４と磁気センサＳ，Ｓ，Ｓとの関係を図１１〜図１４に示している。なお図１０（Ａ）〜（Ｄ）において汎例に示すように黒丸は磁極Ｎ、白丸は磁極Ｓ、空欄はマグネット無しを示す。そして図１０（Ａ）は図１１に、図１０（Ｂ）は図１２に、図１０（Ｃ）は図１３に、図１０（Ｄ）は図１４にそれぞれ対応して示している。
【００５５】
すなわち図１１に示すように、磁気センサＳ，Ｓ，Ｓが「Ｎ」、「Ｎ」、「Ｎ」を同時に検出したとき印刷に供される活字面１４ａは「Ｏ」の文字であり、以下同様に「空」、「Ｎ」、「Ｎ」を検出したときは活字面１４ａは「１」の文字であることになる。図１２〜図１４に関しても同様にして印刷に供する文字の活字面１４ａを選び出すことができる。
【００５６】
図１５はシステムブロック図の一例を示すもので、その動作は以下の作用の説明と併せて説明する。
【００５７】
印刷機５５が回転駆動すると、取り付けリング５上に配置された番号器６１〜６５は番号器胴軸４と一体に回転する。このとき固定歯車７に噛合されている歯車３０が回転するので中間歯車２９、歯車２８を経て活字輪軸２０が回転し、これと一体的な摩擦リング２１，２１…の介在により各活字輪１４，１４…が共に回転する。
【００５８】
ＭＰＵ５３は、各活字輪１４，１４…に対向して配置された各磁気センサＳ，Ｓ，Ｓを通じて被検出部のマグネット５１を検知することで活字面１４の文字を識別し、選択される文字の当該活字輪１４のロックポール３４の該当するソレノイドにパルス状の信号を与える。
【００５９】
ソレノイド（ＳＤで総称）は永久磁石４１を内蔵しているので、通常は活字輪１４に対するロックポール３４による拘束が解かれた状態で吸着されている。このソレノイドＳＤに信号が与えられると、永久磁石４１の磁力に対し反作用を働かせる方向に磁界が発生するためロックポール３４はバネ３７の作用で活字輪１４の爪歯車１９に係合し、活字輪１４を拘束して、印刷に供せられる活字面１４ａを不動状態に保持する。
【００６０】
活字輪軸２０および摩擦リング２１はそのまま回転を続けるが、拘束された活字輪１４は固定されているためスリップする。こうしてＭＰＵ５３はすべての桁に対し一連の制御を行う。
【００６１】
外部コントローラ５４は、番号器６が着肉ローラ３２の着肉点を通過する前に各番号器６１〜６５のＭＰＵ５３に対し『全桁が設定されるべき活字面に選択されたか』の確認通信を行う。この時点で選択ミス等があれば外部コントローラ５４は印刷機５５への停止指令を出す。
【００６２】
番号器６はインクの着肉後印刷点で用紙１への印刷が行われる。また外部コントローラ５４は印刷動作の前に『次になるべき活字面データ』をＭＰＵ５３へ通信する。
【００６３】
その後リリースレバー４３がカム溝４７の変形部４７ａに至ると、リリースレバー４３のローラ４６が変形部４７ａに入り込むのでリリースレバー４３は軸４２を中心に図９に示す位置に回転し、これに伴い板バネ４５によりロックポール３４，３４…が一斉に回動してその係止爪３５が活字輪１４の爪歯車１９から外れ、拘束状態が解除される。
【００６４】
このときロックポール３４に連結されているプランジャ３６が永久磁石４１の作用でソレノイドＳＤ側に吸着保持される位置まで前記板バネ４５により押し上げられるため、リリースレバー４３が元の位置に戻ってもロックポール３４は活字輪１４の拘束を解いた状態に維持される。
【００６５】
ロックポール３４による拘束が解かれた活字輪１４は、摩擦リング２１の摩擦作用で活字輪軸２０の回転と一緒に再び回転する。
【００６６】
またリリース軸４２の回転によりそのスリット板４８が回転するのでリリース検出センサ４９がこれを検知し、該センサ４９からのスリット検出信号によりＭＰＵ５３は活字輪１４，１４…が回転し始めたことを知り、次の活字面選択動作に移行することができる。
【００６７】
こうして遂一選択される活字輪１４，１４…の活字面１４ａにより圧胴３１上の用紙１に所定の番号の印刷が行われる。
【図面の簡単な説明】
【００６８】
【図１】本発明による番号印刷装置における番号器ユニットの一例を示す軸線方向から見た側面図。
【図２】同、断面図。
【図３】図１における番号器を取り出して示すもので、（Ａ）は番号器の上フレームを下フレームから分離した側面図、（Ｂ）は下フレームに結合した状態を示す側面図。
【図４】番号器の構成を簡略化して示す断面図。
【図５】摩擦リングの正面図。
【図６】図４のＡ−Ａ矢視断面図。
【図７】番号器のフレーム構造を示し、（Ａ）は上フレーム、（Ｂ）は上フレームに結合した状態を示す各側面図。
【図８】活字輪の作動制御部の活字輪拘束時の状態を示す作動説明図。
【図９】同、活字輪の拘束解除時の状態を示す作動説明図。
【図１０】（Ａ）〜（Ｄ）は活字輪に設けられる被検出部の検出パターン例を示す説明図。
【図１１】図１０（Ａ）と対応する活字輪の説明図。
【図１２】図１０（Ｂ）と対応する活字輪の説明図。
【図１３】図１０（Ｃ）と対応する活字輪の説明図。
【図１４】図１０（Ｄ）と対応する活字輪の説明図。
【図１５】システムブロック図。
【図１６】用紙への印刷形態例を示す略示平面図。
【符号の説明】
【００６９】
１  用紙
２  印刷物
３  番号器ユニット
４  番号器胴軸
５  取り付けリング
６（６１〜６５）  番号器
７  固定歯車
１０  締着板
１２  番号器の下フレーム
１３  同、上フレーム
１４  活字輪
１５  作動制御部
１９  爪歯車
２０  活字輪軸
２１  摩擦リング
２４  予圧スプリング
２８  番号器駆動歯車
３１  圧胴
３４  ロックポール
３６  プランジャ
４０  コイル
４１  永久磁石
４３  リリースレバー
４７  カム溝
５０  マグネット挿着穴
５１  マグネット
ＳＤ（ＳＤ１〜ＳＤ３）  ソレノイド
Ｓ  磁気センサ
【図１】
2006224519.tif 000003
【図２】
2006224519.tif 000004
【図３】
2006224519.tif 000005
【図４】
2006224519.tif 000006
【図５】
2006224519.tif 000007
【図６】
2006224519.tif 000008
【図７】
2006224519.tif 000009
【図８】
2006224519.tif 000010
【図９】
2006224519.tif 000011
【図１０】
2006224519.tif 000012
【図１１】
2006224519.tif 000013
【図１２】
2006224519.tif 000014
【図１３】
2006224519.tif 000015
【図１４】
2006224519.tif 000016
【図１５】
2006224519.tif 000017
【図１６】
2006224519.tif 000018